(57)【要約】【課題】  欠陥検出のためのシステムおよびそのシステムを用いた欠陥検出方法を提供する。【解決手段】ディスプレイパネルで画像の一つ以上の欠陥を検出する方法は、  前記ディスプレイパネルの前記画像を受信することと、前記画像を複数のパッチに分割することと、前記複数のパッチに対する複数の特徴ベクトルを生成することと、マルチクラスサポートベクトルマシン（ＳＶＭ）を用いて、前記複数の特徴ベクトルのそれぞれに基づいて前記複数のパッチのそれぞれを分類して前記一つ以上の欠陥を検出することと、を含み、前記複数のパッチのそれぞれは、ｍ画素×ｎ画素領域（ｍとｎは１より大きいかまたは等しい整数）に対応し、前記複数の特徴ベクトルのそれぞれは、前記複数のパッチのそれぞれに対応し、一つ以上の画像テクスチャ特徴および一つ以上の画像モーメント特徴を含む。【選択図】図２
2018180545.tif 000002
【特許請求の範囲】
【請求項１】
ディスプレイパネルで画像の一つ以上の欠陥を検出する方法であって、
前記ディスプレイパネルの前記画像を受信することと、
前記画像を複数のパッチに分割することと、
前記複数のパッチに対する複数の特徴ベクトルを生成することと、
マルチクラスサポートベクトルマシン（ＳＶＭ）を用いて、前記複数の特徴ベクトルのそれぞれに基づいて前記複数のパッチのそれぞれを分類して前記一つ以上の欠陥を検出することと、
を含み、
前記複数のパッチそれぞれは、ｍ画素×ｎ画素領域（ｍとｎは１より大きいかまたは等しい整数）に対応し、
前記複数の特徴ベクトルのそれぞれは、前記複数のパッチのそれぞれに対応し、一つ以上の画像テクスチャ特徴および一つ以上の画像モーメント特徴を含む
欠陥検出方法。
【請求項２】
前記複数のパッチは、互いに重畳しない、請求項１に記載の欠陥検出方法。
【請求項３】
前記複数のパッチの各パッチは、平均的な欠陥の大きさより大きい、請求項１に記載の欠陥検出方法。
【請求項４】
前記複数のパッチの各パッチは、前記ディスプレイパネルの３２×３２画素領域に対応する、請求項１に記載の欠陥検出方法。
【請求項５】
前記一つ以上の画像テクスチャ特徴は、コントラストグレーレベル同時生起行列（ＧＬＣＭ）テクスチャ特徴および非類似ＧＬＣＭテクスチャ特徴のうちの少なくとも一つを含む、請求項１に記載の欠陥検出方法。
【請求項６】
前記一つ以上の画像モーメント特徴は、３次中心モーメント（μ30）、第５Ｈｕ不変モーメント（Ｉ5）および第１Ｈｕ不変モーメント（Ｉ1）のうちの少なくとも一つを含む、請求項１に記載の欠陥検出方法。
【請求項７】
前記マルチクラスＳＶＭは、欠陥を含む画像および欠陥を含まない画像の両方ともを用いて訓練される、請求項１に記載の欠陥検出方法。
【請求項８】
前記複数のパッチを分類することは、
前記マルチクラスＳＶＭに前記複数のパッチに対する前記複数の特徴ベクトルを提供して、前記複数の特徴ベクトルを基に前記一つ以上の欠陥を識別することと、
前記複数のパッチのうちの前記識別された一つ以上の欠陥を含む一つ以上のパッチを欠陥としてラベリングすることと、
を含む、請求項１に記載の欠陥検出方法。
【請求項９】
ディスプレイパネルで画像の一つ以上の欠陥を検出するためのシステムを訓練する方法であって、
前記ディスプレイパネルの前記画像を受信することと、
前記画像を、前記ディスプレイパネルの前記画像にそれぞれ対応する第１複数のパッチおよび第２複数のパッチに分解することと、
それぞれが前記第１および第２複数のパッチのうちの一つに対応し欠陥があるか欠陥がないということを示す複数のラベルを受信することと、
それぞれが前記第１および第２複数のパッチのうちの一つに対応し一つ以上の画像テクスチャ特徴および一つ以上の画像モーメント特徴を含む複数の特徴ベクトルを生成することと、
マルチクラスサポートベクトルマシン（ＳＶＭ）に前記複数の特徴ベクトルおよび前記複数のラベルを提供することによって一つ以上の欠陥を検出するように前記ＳＶＭを訓練することと、
を含む訓練方法。
【請求項１０】
前記第２複数のパッチは、前記第１複数のパッチからオフセットされており、前記第１複数のパッチと重畳する、請求項９に記載の訓練方法。
【請求項１１】
前記複数のパッチのそれぞれは、前記画像のｍ×ｎ画素領域（ｍおよびｎは１より大きいかまたは等しい整数）に対応する、請求項９に記載の訓練方法。
【請求項１２】
前記画像を分解することは、前記ディスプレイパネルの前記画像にそれぞれ対応する第３複数のパッチおよび第４複数のパッチに前記画像をさらに分解することを含み、
前記複数のラベルは、前記第３および第４複数のパッチに対応し欠陥があるか欠陥がないということを示す付加的なラベルをさらに含み、
前記複数の特徴ベクトルのそれぞれは、前記第１、第２、第３および第４複数のパッチのうちの一つに対応し、一つ以上の画像テクスチャ特徴および一つ以上の画像モーメント特徴を含み、
前記第１〜第４複数のパッチのそれぞれは前記画像の３２×３２ピクセル領域に対応し、
前記第１〜第４複数のパッチのうちの一つ以上は、前記画像の長さ方向および幅方向のうちの少なくとも一つの方向に１６ピクセルだけ互いにオフセットされている、請求項９に記載の訓練方法。
【請求項１３】
前記一つ以上の画像テクスチャ特徴は、コントラストグレーレベル同時生起行列（ＧＬＣＭ）テクスチャ特徴と非類似ＧＬＣＭテクスチャ特徴のうちの少なくとも一つを含む、請求項９に記載の訓練方法。
【請求項１４】
前記一つ以上の画像モーメント特徴は、３次中心モーメント（μ30）、第５Ｈｕ不変モーメント（Ｉ5）および第１Ｈｕ不変モーメント（Ｉ1）のうちの少なくとも一つを含む、請求項９に記載の訓練方法。
【請求項１５】
ディスプレイパネルで画像の一つ以上の欠陥を検出するシステムであって、
プロセッサーと、
前記プロセッサーに接続されているメモリと、を含み、
前記メモリは、前記プロセッサーが、
前記ディスプレイパネルの前記画像を受信することと、
前記画像を複数のパッチに分割することと、
前記複数のパッチに対する複数の特徴ベクトルを生成することと、
マルチクラスサポートベクトルマシン（ＳＶＭ）を用いて、前記複数の特徴ベクトルのそれぞれに基づいて前記複数のパッチのそれぞれを分類して前記一つ以上の欠陥を検出することと、
を実行するようにする指示を保存しているシステム。
【請求項１６】
前記複数のパッチは、互いに重畳せず、
前記複数のパッチの各パッチは、平均的な欠陥の大きさより大きい、請求項１５に記載のシステム。
【請求項１７】
前記一つ以上の画像テクスチャ特徴は、コントラストグレーレベル同時生起行列（ＧＬＣＭ）テクスチャ特徴および非類似ＧＬＣＭテクスチャ特徴のうちの少なくとも一つを含む、請求項１５に記載のシステム。
【請求項１８】
前記一つ以上の画像モーメント特徴は、３次中心モーメント（μ30）、第５Ｈｕ不変モーメント（Ｉ5）および第１Ｈｕ不変モーメント（Ｉ1）のうちの少なくとも一つを含む、請求項１５に記載のシステム。
【請求項１９】
前記マルチクラスＳＶＭは、欠陥を含む画像および欠陥を含まない画像の両方ともを用いて訓練されている、請求項１５に記載のシステム。
【請求項２０】
前記複数のパッチのそれぞれを分類することは、
前記マルチクラスＳＶＭに前記複数のパッチに対する前記複数の特徴ベクトルを提供して、前記複数の特徴ベクトルを基に前記一つ以上の欠陥を識別することと、
前記複数のパッチのうちの前記識別された一つ以上の欠陥を含む一つ以上のパッチを欠陥としてラベリングすること、とを含む請求項１５に記載のシステム。
【発明の詳細な説明】
【技術分野】
【０００１】
本発明は、欠陥検出のためのシステムおよびそのシステムを用いた欠陥検出方法に関するものである。
【背景技術】
【０００２】
最近、新たなディスプレイ技術が市場に紹介されるにつれてディスプレイ産業が急速に成長している。モバイル装置、ＴＶ、仮想現実（ＶＲ）ヘッドセットおよびその他のディスプレイは、より高い解像度とより正確な色再現でディスプレイを駆動することにおいて持続的な力になった。新たなタイプのディスプレイパネルモジュールおよび生産方法が使用されることにより従来の方法を用いて表面欠陥を検査するのが難しくなった。
【発明の概要】
【発明が解決しようとする課題】
【０００３】
本発明は、ディスプレイパネルの画像の欠陥検出の速度および正確性を向上させるためのものである。
【課題を解決するための手段】
【０００４】
本発明の実施形態は、ホワイトスポットのムラ欠陥の検出のような欠陥検出の速度および正確性を向上させるために機械学習（ｍａｃｈｉｎｅ  ｌｅａｒｎｉｎｇ）を用いる自動化された検査システムおよび方法に関するものである。一実施形態による自動化された検査システムは、ディスプレイ装置で撮影された画像を受信し、画像を複数のパッチに分割し、各パッチの画像の特徴を計算し、訓練されたサポートベクトルマシン（ＳＶＭ：Ｓｕｐｐｏｒｔ  Ｖｅｃｔｏｒ  Ｍａｃｈｉｎｅ）を用いて計算された特徴を用いてホワイトスポットムラのような欠陥を含むパッチを識別する。一実施形態によれば、前記特徴はテクスチャ特徴と画像モーメントの組み合わせを含む。
【０００５】
本発明の一実施形態によって、ディスプレイパネルで画像の一つ以上の欠陥を検出する方法が提供され、前記方法は、前記ディスプレイパネルの前記画像を受信することと、前記画像を複数のパッチに分割することと、前記複数のパッチに対する複数の特徴ベクトルを生成することと、マルチクラスサポートベクトルマシン（ＳＶＭ）を用いて、前記複数の特徴ベクトルのそれぞれに基づいて前記複数のパッチのそれぞれを分類して前記一つ以上の欠陥を検出することと、を含み、前記複数のパッチのそれぞれは、ｍ画素×ｎ画素領域（ｍとｎは１より大きいかまたは等しい整数）に対応し、前記複数の特徴ベクトルのそれぞれは、前記複数のパッチのそれぞれに対応し、一つ以上の画像テクスチャ特徴および一つ以上の画像モーメント特徴を含む。
【０００６】
複数のパッチは、互いに重畳しなくてもよい。
【０００７】
前記複数のパッチの各パッチは、平均的な欠陥の大きさより大きくてもよい。
【０００８】
前記複数のパッチの各パッチは、前記ディスプレイパネルの３２×３２画素領域に対応してもよい。
【０００９】
前記一つ以上の画像テクスチャ特徴は、コントラストグレーレベル同時生起行列（ＧＬＣＭ）テクスチャ特徴および非類似ＧＬＣＭテクスチャ特徴のうちの少なくとも一つを含んでもよい。
【００１０】
前記一つ以上の画像モーメント特徴は、３次中心モーメント（μ30）、第５Ｈｕ不変モーメント（Ｉ5）および第１Ｈｕ不変モーメント（Ｉ1）のうちの少なくとも一つを含んでもよい。
【００１１】
前記マルチクラスＳＶＭは、欠陥を含む画像および欠陥を含まない画像の両方ともを用いて訓練されてもよい。
【００１２】
前記複数のパッチを分類することは、前記マルチクラスＳＶＭに前記複数のパッチに対する前記複数の特徴ベクトルを提供して、前記複数の特徴ベクトルを基に前記一つ以上の欠陥を識別することと、前記複数のパッチのうちの前記識別された一つ以上の欠陥を含む一つ以上のパッチを欠陥としてラベリングすることと、を含んでもよい。
【００１３】
一実施形態による、ディスプレイパネルで画像の一つ以上の欠陥を検出するためのシステムを訓練する方法が提供され、前記方法は、前記ディスプレイパネルの前記画像を受信することと、前記画像を、前記ディスプレイパネルの前記画像にそれぞれ対応する第１複数のパッチおよび第２複数のパッチに分解することと、それぞれが前記第１および第２複数のパッチのうちの一つに対応し欠陥があるか欠陥がないということを示す複数のラベルを受信することと、それぞれが前記第１および第２複数のパッチのうちの一つに対応し一つ以上の画像テクスチャ特徴および一つ以上の画像モーメント特徴を含む複数の特徴ベクトルを生成することと、マルチクラスサポートベクトルマシンに前記複数の特徴ベクトルおよび前記複数のラベルを提供することによって一つ以上の欠陥を検出するように前記ＳＶＭを訓練することと、を含む。
【００１４】
前記第２複数のパッチは、前記第１複数のパッチからオフセットされており、前記第１複数のパッチと重畳してもよい。
【００１５】
前記複数のパッチのそれぞれは、前記画像のｍ×ｎ画素領域（ｍおよびｎは１より大きいかまたは等しい整数）に対応してもよい。
【００１６】
前記画像を分解することは、前記ディスプレイパネルの前記画像にそれぞれ対応する第３複数のパッチおよび第４複数のパッチに前記画像をさらに分解することを含み、前記複数のラベルは、前記第３および第４複数のパッチに対応し欠陥があるか欠陥がないということを示す付加的なラベルをさらに含み、前記複数の特徴ベクトルのそれぞれは、前記第１、第２、第３および第４複数のパッチのうちの一つに対応し、一つ以上の画像テクスチャ特徴および一つ以上の画像モーメント特徴を含み、前記第１〜第４複数のパッチのそれぞれは前記画像の３２×３２ピクセル領域に対応し、前記第１〜第４複数のパッチのうちの一つ以上は、前記画像の長さ方向および幅方向のうちの少なくとも一つの方向に１６ピクセルだけ互いにオフセットされていてもよい。
【００１７】
前記一つ以上の画像テクスチャ特徴は、コントラストグレーレベル同時生起行列（ＧＬＣＭ）テクスチャ特徴と非類似ＧＬＣＭテクスチャ特徴のうちの少なくとも一つを含んでもよい。
【００１８】
前記一つ以上の画像モーメント特徴は、３次中心モーメント（μ30）、第５Ｈｕ不変モーメント（Ｉ5）および第１Ｈｕ不変モーメント（Ｉ1）のうちの少なくとも一つを含んでもよい。
【００１９】
一実施形態による、ディスプレイパネルで画像の一つ以上の欠陥を検出するためのシステムが提供され、前記システムは、プロセッサーと、前記プロセッサーに接続されているメモリと、を含み、前記メモリは、前記プロセッサーが、前記ディスプレイパネルの前記画像を受信することと、前記画像を複数のパッチに分割することと、前記複数のパッチに対する複数の特徴ベクトルを生成することと、マルチクラスサポートベクトルマシン（ＳＶＭ）を用いて、前記複数の特徴ベクトルのそれぞれに基づいて前記複数のパッチのそれぞれを分類して前記一つ以上の欠陥を検出することと、を実行するようにする指示を保存する。
【００２０】
前記複数のパッチは、互いに重畳せず、前記複数のパッチの各パッチは、平均的な欠陥の大きさより大きくてもよい。
【００２１】
前記一つ以上の画像テクスチャ特徴は、コントラストグレーレベル同時生起行列（ＧＬＣＭ）テクスチャ特徴および非類似ＧＬＣＭテクスチャ特徴のうちの少なくとも一つを含んでもよい。
【００２２】
前記一つ以上の画像モーメント特徴は、３次中心モーメント（μ30）、第５Ｈｕ不変モーメント（Ｉ5）および第１Ｈｕ不変モーメント（Ｉ1）のうちの少なくとも一つを含んでもよい。
【００２３】
前記マルチクラスＳＶＭは、欠陥を含む画像および欠陥を含まない画像の両方ともを用いて訓練されていてもよい。
【００２４】
前記複数のパッチのそれぞれを分類することは、前記マルチクラスＳＶＭに前記複数のパッチに対する前記複数の特徴ベクトルを提供して、前記複数の特徴ベクトルを基に前記一つ以上の欠陥を識別することと、前記複数のパッチのうちの前記識別された一つ以上の欠陥を含む一つ以上のパッチを欠陥としてラベリングすること、とを含んでもよい。
【発明の効果】
【００２５】
本実施形態によれば、ディスプレイパネルの画像の欠陥の検出速度および正確性を向上させることができる。
【図面の簡単な説明】
【００２６】
【図１】本発明の実施形態による画像取得および欠陥検出システムのブロック図である。
【図２】本発明の実施形態による欠陥検出部のブロック図である。
【図３ａ】本発明の実施形態による、訓練モードで画像分解部によって生成されたパッチの複数のセットを示す。
【図３ｂ】本発明の実施形態による、ディスプレイパネルの分解された画像の中のラベリングされた欠陥を含むパッチを示す。
【図４ａ】本発明の実施形態による、ディスプレイパネルの一つ以上の欠陥を検出するための欠陥検出システムを訓練するためのプロセスを示すフローチャートである。
【図４ｂ】本発明の実施形態による、欠陥検出システムを用いてディスプレイパネルで一つ以上のホワイトスポット欠陥を検出するプロセスを示すフローチャートである。
【発明を実施するための形態】
【００２７】
以下の詳細な説明は本発明によって提供される欠陥検出のためのシステムおよび方法の例示的な実施形態の説明であって、本発明を理解または活用できる唯一の形態を示すものではない。以下の詳細な説明は図示された実施形態に関連して本発明の特徴を説明する。しかし、本発明の思想および範囲内に含まれるように意図された他の実施形態によって同一または均等な機能および構造が達成できる。本明細書の他の部分でも言及された通り、同一な符号または番号は同一な構成要素または特徴を示す。
【００２８】
図１は、本発明の一実施形態による画像取得および欠陥検出システム１００のブロック図である。
【００２９】
図１に示されているように、画像取得および欠陥検出システム１００（以下、単に「欠陥検出システム」という。）は、ディスプレイパネル１０２の画像を用いてディスプレイパネル１０２の欠陥を検出するように構成される。一実施形態によれば、欠陥検出システム１００は、テスト対象のディスプレイパネル１０２でホワイトスポットのムラ欠陥（ｗｈｉｔｅ  ｓｐｏｔ  Ｍｕｒａ  ｄｅｆｅｃｔ）（例えば、輝度非均一性（ｂｒｉｇｈｔｎｅｓｓ  ｎｏｎ−ｕｎｉｆｏｒｍｉｔｙ））の存在を検出し、その位置を把握するように構成され得る。一実施形態によれば、ブラックスポット（ｂｌａｃｋ  ｓｐｏｔ）、ホワイトストリーク（ｗｈｉｔｅ  ｓｔｒｅａｋｓ）、水平ラインムラ（ｈｏｒｉｚｏｎｔａｌ  ｌｉｎｅ  Ｍｕｒａｓ）、ガラスの欠陥、埃、および斑などのようなディスプレイパネル１０２に存在することがある全ての他のタイプの欠陥を無視して、ホワイトスポットのムラ欠陥のみが検出され得る。
【００３０】
一実施形態によれば、欠陥検出システム１００は、カメラ１０４および欠陥検出部１０６を含む。カメラ１０４は、ディスプレイパネル１０２の上部面（例えば、表示面）の画像（例えば、ＲＡＷ、非圧縮（ｕｎｃｏｍｐｒｅｓｓｅｄ）の画像）を取り込む（ｃａｐｔｕｒｅ）ことができる。一実施形態によれば、ディスプレイパネル１０２は、テストまたは製造設備のコンベヤーベルトに沿って移動していてもよい。一実施形態によれば、画像はディスプレイパネル１０２の上部面の全体の非圧縮の画像（例えば、ＲＡＷ形式の画像）であってもよく、カメラ１０４はディスプレイパネル１０２の全ての画素、またはほとんど全ての画素の画像を取り込むことができる。カメラ１０４は取り込んだ画像を欠陥検出部１０６に伝送することができる。欠陥検出部１０６は画像を分析して欠陥（例えば、ホワイトスポットのムラ欠陥）の存在を検出することができる。
【００３１】
一実施形態によれば、プロセッサー１０８およびプロセッサー１０８に接続されたメモリ１１０を含む欠陥検出部１０６は、取り込まれた画像を検出のための複数のパッチ（ｐａｔｃｈｅｓ）に分割する。パッチは、画像を複数の領域に分割したときの各領域である。その後、訓練された機械学習部（ｔｒａｉｎｅｄ  ｍａｃｈｉｎｅ  ｌｅａｒｎｉｎｇ  ｃｏｍｐｏｎｅｎｔ）は、ホワイトスポットのムラ欠陥のような欠陥について各パッチを分析する。一実施形態によれば、機械学習部は、例えばマルチクラスＳＶＭ（ｍｕｌｔｉ−ｃｌａｓｓ  ＳＶＭ）のようなサポートベクトルマシン（ｓｕｐｐｏｒｔ  ｖｅｃｔｏｒ  ｍａｃｈｉｎｅ,ＳＶＭ）を含む。サポートベクトルマシンは、欠陥を有しているもの（例えば、ホワイトスポットのムラ欠陥）、または欠陥がないものの二つのカテゴリーのうちの一つに入力を分類するように構成されている管理型学習モデル（ｓｕｐｅｒｖｉｓｅｄ  ｌｅａｒｎｉｎｇ  ｍｏｄｅｌ）（事前決定された数式ではない。）である。欠陥検出部１０６は各画像パッチに対する特徴の組み合わせを生成し、分類のためにこれらをＳＶＭに提供する。例えば、このような特徴はテクスチャ特徴（ｔｅｘｔｕｒｅ  ｆｅａｔｕｒｅｓ）と画像モーメント（ｉｍａｇｅ  ｍｏｍｅｎｔｓ）との組み合わせを含むことができる。ＳＶＭは各画像パッチを、欠陥を有するものか有しないもの（例えば、ホワイトスポットムラの場合）に分類し、欠陥（例えば、ホワイトスポットムラの場合）が存在する画像パッチにラベリング（ｌａｂｅｌｉｎｇ）する。ラベリングは、少なくとも、欠陥が存在するパッチ（画像パッチ）にラベル（識別子）を付与することを含む。
【００３２】
一実施形態によれば、ＳＶＭは以下でさらに詳しく説明されるように、操作者１１２によって訓練され得る。操作者１１２は人間操作者であってもよい。
【００３３】
図２は、本発明の一実施形態による欠陥検出部１０６をさらに詳細に示したブロック図である。
【００３４】
図２を参照すれば、欠陥検出部１０６は、画像分解部２００、特徴抽出部２０２およびＳＶＭ（例えば、マルチクラスＳＶＭ）２０４を含む。欠陥検出部１０６は、訓練モードおよび検出モードで動作するように構成される。
【００３５】
一実施形態によれば、画像分解部２００は、訓練モードで動作するとき、カメラ１０４から受信したディスプレイパネルの画像を複数のパッチのセットに分解（例えば、分割または区画）するように構成される。各セットのパッチはディスプレイパネルの画素の全部またはほとんど全部をカバーすることができる。即ち、各セットのパッチは他の全てのセットの対応するパッチと重畳してもよい。
【００３６】
特徴抽出部２０２は、画像分解部２００によって生成された各パッチに対して動作して、各パッチの画像の特徴を抽出する。一実施形態によれば、特徴は一つ以上の画像テクスチャ特徴（テクスチャ特徴とも呼ばれる。）および一つ以上の画像モーメント特徴（画像モーメントとも呼ばれる。）を含む。一実施形態によれば、画像テクスチャ特徴は、コントラストグレーレベル同時生起行列（ｃｏｎｔｒａｓｔ  ｇｒｅｙ−ｌｅｖｅｌ  ｃｏ−ｏｃｃｕｒｒｅｎｃｅ  ｍａｔｒｉｘ、ＧＬＣＭ）テクスチャ特徴および非類似（Ｄｉｓｓｉｍｉｌａｒｉｔｙ）ＧＬＣＭテクスチャ特徴のうちの少なくとも一つを含むことができる。なお、グレーレベル同時生起行列テクスチャ特徴は、グレーレベルの同時生起行列を使用したテクスチャ解析により得られる特徴である。この明細書において、非類似ＧＬＣＭテクスチャ特徴は、グレーレベル同時生起行列を使用して得られる非類似性（異質性ともいう。）の特徴のことである。非類似ＧＬＣＭテクスチャ特徴については、例えば、文献（Ｇｌｅｂ  Ｂｅｌｉａｋｏｖ,  Ｓｉｍｏｎ  Ｊａｍｅｓ  ａｎｄ  Ｌｕｉｇｉ  Ｔｒｏｉａｎｏ、“Ｔｅｘｔｕｒｅ  ｒｅｃｏｇｎｉｔｉｏｎ  ｂｙ  ｕｓｉｎｇ  ＧＬＣＭ  ａｎｄ  ｖａｒｉｏｕｓ  ａｇｇｒｅｇａｔｉｏｎ  ｆｕｎｃｔｉｏｎｓ”、インターネット＜ＵＲＬ：ｈｔｔｐｓ：／／ｉｅｅｅｘｐｌｏｒｅ．ｉｅｅｅ．ｏｒｇ／ａｂｓｔｒａｃｔ／ｄｏｃｕｍｅｎｔ／４６３０５６６／＞、（２００８年））にも記載されている。画像モーメント特徴は、３次中心モーメント（ｃｅｎｔｒｏｉｄ  ｍｏｍｅｎｔ）（μ30）、第５Ｈｕ不変モーメント（Ｈｕ  ｉｎｖａｒｉａｎｔ  ｍｏｍｅｎｔ）（Ｉ5）、および第１Ｈｕ不変モーメント（Ｉ1）のうちの少なくとも一つを含むことができる。
【００３７】
当業者によって理解されるように、ＧＬＣＭ特徴は、一つの画像で特定空間関係にありながら特定輝度値（例えば、グレーレベル）を有する画素の対がどれくらいの頻度で発生するかを計算することによって画像のテクスチャを特性化することを助ける。また、３次中心モーメント（μ30）は並進不変（ｔｒａｎｓｌａｔｉｏｎａｌ  ｉｎｖａｒｉａｎｔ）であり、第５Ｈｕ不変モーメント（Ｉ5）および第１Ｈｕ不変モーメント（Ｉ1）は並進（ｔｒａｎｓｌａｔｉｏｎ）、大きさおよび回転変換に対して不変である。このような画像モーメント特徴の公式的な定義は明細書最後に記載された内容から確認することができ、その全体内容は本明細書に参考として含まれる。
【００３８】
特徴抽出部２０２は、それぞれのパッチに対して前記一つ以上の画像テクスチャ特徴および前記一つ以上の画像モーメント特徴を含む特徴ベクトルを構成することができる。一例によれば、構成された特徴ベクトルは、３次中心モーメント（μ30）、コントラストＧＬＣＭテクスチャ特徴、非類似ＧＬＣＭテクスチャ特徴、第５Ｈｕ不変モーメント（Ｉ5）、および第１Ｈｕ不変モーメント（Ｉ1）を含むことができる。しかし、本発明の実施形態はこれに制限されない。例えば、構成された特徴ベクトルは、第５Ｈｕ不変モーメント（Ｉ5）および第１Ｈｕ不変モーメント（Ｉ1）および／または非類似ＧＬＣＭテクスチャ特徴のうちの一つまたは全てを排除することができる。訓練段階にあるとき、特徴抽出部２０２は構成されたベクトルを第１訓練データセットとしてＳＶＭ２０４に伝送する。
【００３９】
画像分解部２００によって生成されたパッチのセットは、各パッチを欠陥（例えば、ホワイトスポットのムラ欠陥）の存在に関して手動で検査し、各パッチを欠陥があるかまたは欠陥がないと手動でラベリングする操作者１１２にも提供され得る。その結果は第２訓練データセットとしてＳＶＭ２０４に提供される。一実施形態によれば、操作者１１２はブラックスポット、ホワイトストリークなどのような他の全てのタイプの欠陥を排除し、ホワイトスポットのムラ欠陥のみを識別することができる。このように、一実施形態によれば、マルチクラスＳＶＭ２０４はホワイトスポットのムラ欠陥のみ検出し、他の全てのタイプの欠陥は無視するように訓練され得る。
【００４０】
その後、ＳＶＭ（例えば、マルチクラスＳＶＭ）２０４は、欠陥（例えば、ホワイトスポットのムラ欠陥）検出のための欠陥検出部１０６を訓練するために、欠陥パッチおよび非欠陥パッチの両方ともを含む各パッチの特徴ベクトルだけでなく欠陥または非欠陥の対応するラベル（または表示）を使用する。一例によれば、ＳＶＭ２０４は単一の画像からのパッチだけでなく、互いに異なるディスプレイパネルからの複数の互いに異なる画像からのパッチを用いて訓練することができる。
【００４１】
訓練が完了すれば、欠陥検出部１０６は検出モードで動作し、その間にＳＶＭ２０４は操作者１１２に代替してディスプレイパネル１０２の画像のパッチをラベリング（表示）することができる。一実施形態によれば、訓練モードで、画像分解部２００はディスプレイパネル１０２の取り込んだ画像を、ディスプレイパネル１０２の全ての画素またはほとんど全ての画素をカバーする一セット（例えば、ただ一つのセット）の他のパッチと重畳しないパッチである非重畳パッチに分解（例えば、分割または区画）することができる。その後、特徴抽出部２０２は前述のように訓練モードを参照して非重畳パッチのセットに動作して、各パッチの画像の特徴を抽出し、各パッチに対する特徴ベクトルを生成することができる。その後、ＳＶＭ２０４は生成された特徴ベクトルを用いて各パッチを欠陥または非欠陥に分類することができる。
【００４２】
一実施形態で、各パッチの大きさは典型的な欠陥の大きさ（例えば、ホワイトスポットのムラ欠陥の平均大きさ）より大きいが、またディスプレイパネル上の欠陥の位置を決定するときに十分な細分性（ｇｒａｎｕｌａｒｉｔｙ）を提供するように十分に小さく選択され得る。
【００４３】
したがって、実施形態によれば、ディスプレイパネル１０２を視覚的に検査して画像の特徴（例えば、３次中心モーメント（μ30）、コントラストＧＬＣＭおよび非類似ＧＬＣＭテクスチャ特徴、および第１および第５Ｈｕ不変モーメント（Ｉ1およびＩ5））の適切なセットを抽出することによって、欠陥検出部１０６はホワイトスポットのムラ欠陥のような特定タイプの欠陥の存在を検出し位置を把握することができる。これは、所望の欠陥を検出し位置を把握することにおいて高い精密度を提供し、特定の場合に欠陥を補償できるようにすることができる。
【００４４】
一例によれば、欠陥検出部１０６によって欠陥を含むと識別されたディスプレイパネルは不合格になって製品ラインから除去され得る。しかし、他の実施形態によれば、欠陥とラベリング（表示）されたパッチの位置（例えば、座標）によって識別される欠陥（例えば、ホワイトスポットのムラ欠陥）の位置は、欠陥を電子的に（ｅｌｅｃｔｒｏｎｉｃａｌｌｙ）補償するために用いられ、これによりディスプレイパネルの欠陥を実質的に除去することができる。したがって、欠陥検出部１０６はディスプレイパネルの欠陥補償を容易にすることによって、ディスプレイパネルの製造／生産収率を向上させるのに役に立つ。一実施形態によれば、欠陥検出部１０６および電子的補償は、欠陥がそれ以上検出されなくなるまで多様な補償パラメータを通じて繰り返すループを形成することができる。したがって、識別されたホワイトスポットのムラの各場合に対してディスプレイパネルに補償パラメータが適用されて、ディスプレイパネルの新たな画像が得られ、その画像は欠陥検出部１０６に再び提供され得る。
【００４５】
当業者によって理解されるように、画像分解部２００、特徴抽出部２０２、マルチクラスＳＶＭ２０４、および欠陥検出システム１０６の他の論理的な構成要素は、プロセッサー１０８およびメモリ１１０によって実現され得る。メモリ１１０は、プロセッサー１０８によって実行されるときに、プロセッサー１０８が欠陥検出システム１０６（例えば、画像分解部２００、特徴抽出部２０２、マルチクラスＳＶＭ２０４）に属する機能を実行するようにする指示を保存していてもよい。
【００４６】
図３ａは、本発明の一実施形態により訓練モードで画像分解部２００によって生成されたパッチ３００の複数のセットを示す。図３ｂは、本発明の一実施形態によりディスプレイパネルの分解された画像内のラベリング（表示）された欠陥を含むパッチを示す。
【００４７】
図３ａを参照すれば、画像３０１は、テスト画像を表示することができるディスプレイパネル１０２の上部面（例えば、表示面）の画像であって、カメラ１０４によって取り込まれた画像を示す。テスト画像は、連続的な灰色の画像のように欠陥（例えば、ホワイトスポットのムラ欠陥）の存在をテストするために適した任意の画像を含むことができる。画像３０１は、ディスプレイパネル１０２の全ての画素を含むことができる。しかし、他の実施形態によれば、画像３０１は、ディスプレイパネル１０２の一部のみをカバーしてもよい。画像分解部２００は、画像３０１の角Ａから始まる同一な大きさの画像パッチ３０３を含む第１複数のパッチ３０２に画像３０１を分割することができる。図３ａの例で、角Ａは画像３０１の上部左側の角を示し、パッチ３０３は正方形で示されているが、本発明の実施形態がこれに限定されるのではなく、角Ａは画像の適切な任意の角（例えば、左側下端、右側上端などの角）であってもよく、パッチ３０３は長方形であってもよい。
【００４８】
一般に、各画像パッチ３０３の大きさは、それが含むディスプレイ画素の数と関連して、ｍ×ｎ画素（ｍおよびｎは正の整数）で示され得る。一実施形態で、各画像パッチ３０３の大きさは典型的な欠陥より大きく（例えば、ホワイトスポットのムラ欠陥の平均大きさより大きく）設定され得る。例えば、各パッチ３０３は３２×３２画素であってもよく、この場合、１９２０×１０８０画素の解像度を有するディスプレイパネル１０２の画像３０１内の第１複数のパッチ３０２は、２０４０個のパッチを含むことができる。これらパッチのうち、コーナーＡと反対側に位置する画像の辺と重畳するパッチは、パッチの一部分である部分画像パッチであってもよい。
【００４９】
一実施形態によれば、訓練モードで、画像分解部２００は画像３０１をパッチの複数の他の重畳するセットにさらに分割することができる。例えば、画像分解部２００は、それぞれが画像パッチ３０５、３０７、３０９を含む第２、第３および第４複数のパッチ３０４、３０６、３０８に画像３０１をさらに分割することができ、画像パッチ３０５、３０７、３０９のそれぞれの大きさは画像パッチ３０３の大きさと同一であってもよい。
【００５０】
それぞれのパッチセットは、第１方向（例えば、ｘ軸によって示される画像３０１の長さ方向）にｄ１オフセット、および／または第２方向（例えば、ｙ軸によって示される画像３０１の幅方向）にｄ２オフセットだけ他のパッチセットからオフセット（ｏｆｆｓｅｔ）されていてもよい。例えば、第２複数のパッチ３０４は第１方向（例えば、ｘ軸に沿って）にオフセットｄ１だけ第１複数のパッチ３０２からオフセットされてもよく、第３複数のパッチ３０６は第２方向（例えば、ｙ軸に沿って）のオフセットｄ２だけ第１複数のパッチ３０２からオフセットされてもよく、第４複数のパッチ３０８は第１方向および第２方向にそれぞれオフセットｄ１およびオフセットｄ２だけ第１複数のパッチ３０２からオフセットされてもよい。一実施形態によれば、それぞれのパッチセットは、パッチのそれぞれが、先行するパッチセットの対応するパッチの領域の半分とだけ重畳するようにオフセットされてもよい。例えば、各パッチ３０３／３０５／３０７／３０９が３２×３２画素の大きさを有するとき、オフセットｄ１およびオフセットｄ２はそれぞれ１６画素と同一であってもよい。
【００５１】
図３ｂを参照すれば、訓練モードで、画像３０１内の任意の欠陥（例えば、ホワイトスポットのムラ欠点）３１０を発見し、欠陥の全部または一部を含むパッチをラベリング（表示）するように訓練された操作者によって、パッチのそれぞれが検査される。例えば、欠陥を含むパッチ（以下「欠陥パッチ」という。）は‘１’とラベリング（表示）され得る反面、一例によれば、残り（例えば、非欠陥）パッチは‘０’とラベリング（表示）され得る。図３ｂに示されているように、一実施形態によれば、欠陥３１０が２個のパッチの境界または４個のパッチのコーナーで発見されるとき、その境界またはコーナーを共有する全てのパッチは欠陥パッチに分類される。一方、図３ｂは説明を容易にするために第４複数のパッチ３０８のラベリング（表示）された欠陥パッチのみを示し、パッチ３０３、３０５、３０７のうちの欠陥３１０を含むパッチも欠陥に同様に分類され得る。
【００５２】
手動でラベリング（表示）されたパッチセット（例えば、ラベリングされた第１〜第４複数のパッチ３０２、３０４、３０６、３０８は、セット（例えば、パッチ３０３、３０５、３０７、３０９）に含まれている各パッチに対応する特徴ベクトルと共に欠陥パッチおよび非欠陥パッチの両方ともを含み、その後に訓練データとしてＳＶＭ２０４に提供される。
【００５３】
一実施形態によれば、検出モードで、画像分解部２００は１つのパッチのセットのみを生成し（訓練モードで生成された複数のセットの代わりに）、この１つのパッチのセットは図３ａに示された第１複数のパッチ３０２に対応する（例えば、同一である）。
【００５４】
図４ａは、本発明の一実施形態により、ディスプレイパネル１０２の一つ以上の欠陥を検出するための欠陥検出システム１００を訓練するためのプロセス４００を示すフローチャートである。
【００５５】
段階Ｓ４０２で、欠陥検出部１０６（例えば、画像分解部２００）は一つ以上のホワイトスポット欠陥を含むことができるディスプレイパネル１０２の画像を受信する。
【００５６】
段階Ｓ４０４で、画像分解部２００は、画像を複数のパッチセット、例えば第１複数のパッチ３０２、第２複数のパッチ３０４、第３複数のパッチ３０６、および第４複数のパッチ３０８に分解（例えば、分割）することができる。パッチセットのそれぞれは複数のパッチ（例えば、３０３、３０５、３０７および３０９）を含むことができ、ディスプレイパネル１０２の画像３０１に対応してもよい。パッチのそれぞれは画像３０１のｍ×ｎ画素領域（ここで、ｍおよびｎは１より大きいかまたは等しい整数）に対応してもよい。パッチセットのそれぞれは、パッチセットのうちの他の一つからオフセットされて重畳してもよい。他の例によれば、パッチセットのうちの一つ以上（例えば、第１〜第４複数のパッチ３０２、３０４、３０６および３０８のうちの一つ以上）は画像の長さ方向および幅方向のうちの少なくとも一方向へのセットオフセット（例えば、１画素、２画素、４画素、１６画素など）だけ互いにオフセットされていてもよい。
【００５７】
段階Ｓ４０６で、欠陥検出部１０６（例えば、特徴抽出部２０２）は複数のパッチセットの各パッチに対する特徴ベクトルを生成することができる。生成された複数の特徴ベクトルはそれぞれ一つ以上の画像テクスチャ特徴および一つ以上の画像モーメント特徴を含むことができる。一つ以上の画像テクスチャ特徴はコントラストＧＬＣＭテクスチャ特徴および非類似ＧＬＣＭテクスチャ特徴のうちの少なくとも一つを含むことができ、一つ以上の画像モーメント特徴は３次中心モーメント（μ30）、第５Ｈｕ不変モーメント（Ｉ5）および第１Ｈｕ不変モーメント（Ｉ1）のうちの少なくとも一つを含むことができる。
【００５８】
段階Ｓ４０８で、欠陥検出部１０６（例えば、マルチクラスサポートベクトルマシン（ＳＶＭ）２０４）は複数のラベルを受信し、各ラベルは複数のパッチのうちの一つに対応してもよく、欠陥（例えば、ホワイトスポットのムラ欠陥）の存在または欠陥（例えば、ホワイトスポットのムラ欠陥）がないことを示すことができる。一例によれば、複数のラベルはパッチのそれぞれを視覚的に検査しラベルを生成する操作者によって生成され得る。
【００５９】
段階Ｓ４１０で、欠陥検出部１０６（例えば、マルチクラスＳＶＭ２０４）は複数の特徴ベクトルおよび複数のラベルに基づいて一つ以上のホワイトスポットを検出するように訓練される。マルチクラスＳＶＭは、欠陥を含む画像および欠陥を含まない画像の両方ともを用いて訓練され得る。
【００６０】
図４ｂは、本発明の一実施形態により、欠陥検出部１０６を用いてディスプレイパネル１０２で一つ以上のホワイトスポット欠陥を検出するためのプロセス４２０を示すフローチャートである。
【００６１】
段階Ｓ４２２で、欠陥検出部１０６（例えば、画像分解部２００）は一つ以上のホワイトスポット欠陥を含むことができるディスプレイパネル１０２の画像３０１を受信する。
【００６２】
段階Ｓ４２４で、欠陥検出部１０６（例えば、画像分解部２００）は画像３０１を複数の非重畳パッチ３０３に分割し、非重畳パッチ３０３のそれぞれは画像３０１のｍピクセル×ｎ画素領域（ここで、ｍおよびｎは１より大きいかまたは等しい整数である）に対応し、平均的なホワイトスポットのムラ欠陥よりも大きくてもよい。
【００６３】
段階Ｓ４２６で、欠陥検出部１０６（例えば、特徴抽出部２０２）は複数のパッチ３０３の各パッチに対する特徴ベクトルを生成する。特徴ベクトルのそれぞれは、一つ以上の画像テクスチャ特徴および一つ以上の画像モーメント特徴を含むことができる。一つ以上の画像テクスチャ特徴はコントラストＧＬＣＭテクスチャ特徴および非類似ＧＬＣＭテクスチャ特徴のうちの少なくとも一つを含むことができ、一つ以上の画像モーメント特徴は３次中心モーメント（μ30）、第５Ｈｕ不変モーメント（Ｉ5）、および第１Ｈｕ不変モーメント（Ｉ1）のうちの少なくとも一つを含むことができる。
【００６４】
段階Ｓ４２８で、欠陥検出部１０６はマルチクラスＳＶＭ２０４を用いて、複数の特徴ベクトルのそれぞれを用いて複数のパッチ３０３のそれぞれを分類する。マルチクラスＳＶＭ２０４による分類に基づいて、複数のパッチ３０３のそれぞれは欠陥を有しているか欠陥（例えば、ホワイトスポットムラ）がないものとしてラベリングされ得る。この例で、マルチクラスＳＶＭ２０４は、ホワイトスポットムラの分類のために訓練されていてもよい。他の例によれば、マルチクラスＳＶＭ２０４は、他のタイプのディスプレイパネルのムラ欠陥を識別するように訓練されてもよい。例えば、マルチクラスＳＶＭ２０４は、ブラックスポットムラ、領域ムラ（ｒｅｇｉｏｎ  Ｍｕｒａ）、不純物ムラ（ｉｍｐｕｒｉｔｙ  Ｍｕｒａ）、またはラインムラなどを識別するように訓練され得る。
【００６５】
このように、本発明の実施形態は、欠陥検出だけでなく訓練目的のために、工場でディスプレイパネルの実際そのままの（即ち、シミュレーションされない）画像データを用いることができる効率的で精密な欠陥（例えば、ホワイトスポットのムラ欠陥）検出システムおよび方法を提供する。画像取得および欠陥検出システムは、人間の監督下に１度訓練されれば、自動および監督されない方式で動作して製造およびテスト中のディスプレイパネルの欠陥（例えば、ホワイトスポットのムラ欠陥）を検出することができる。したがって、このような自動化システムは、生産効率を向上させ人の肉眼検査の必要性を減らすか無くすことができる。また、一実施形態による欠陥検出システムは、いかなる欠陥でも位置を識別して欠陥の後続的な電子的補償を可能にし、これによってさらに高い生産収率およびさらに少ない全体的な生産費用が可能になる。
【００６６】
“第１”、“第２”、“第３”などの用語は本明細書で多様な構成要素、領域、層および／またはセクションを説明するために使用され得るが、これら構成要素、領域、層および／またはセクションがこの用語によって制限されない。このような用語は一つの構成要素、領域、層またはセクションを他の構成要素、領域、層またはセクションと区別するのに使用され得る。したがって、上で議論された第１構成要素、第１領域、第１層または第１セクションなどは本発明の思想および範囲を逸脱せずに第２構成要素、第２領域、第２層または第２セクションなどと称され得る。
【００６７】
本明細書で使用された用語は特定実施形態を説明するためのものであり、本発明の概念を制限しようとするのではない。本明細書で使用された単数形態は文脈上異なる指示をしない限り、複数形態を含むものとも意図される。本明細書で使用された“含む”の用語は、明示された特徴、整数、段階、動作および／または構成要素の存在を定義し、一つ以上の他の特徴、整数、段階、動作、構成要素および／またはこれらの組み合わせの存在または追加を排除しない。本明細書に使用されたような、“および／または”は一つ以上の関連して列挙された項目の任意および全ての組み合わせを含む。“少なくとも一つ”の表現が要素の目録の前に位置する時、要素の全体目録を修飾し、目録の個別要素を修飾しない。また、本発明の実施形態を記述する時、“できる”と言えば、“本発明概念の一つ以上の実施形態”を意味する。また、“例示的な”という用語は例または説明を意味する。
【００６８】
要素または層が他の要素または層の“上に”、“接続された”、“結合された”または“隣接した”と言及される時、その要素または層は他の要素または層に対して直接“上に”、“接続された”、“結合された”または“隣接した”ものであり、または一つ以上の他の介在要素または層が存在してもよい。一つの要素または層が他の要素または層に対して“直接上に”、“直接的に接続された”、“直接結合された”または“直ぐ隣接した”と言及される時は、中間に介在する要素または層が存在しない。
【００６９】
本明細書で使用された“実質的に”、“約”およびこれに類似の用語は近似の用語として用いられ、程度の用語として使用されず、当業者に認識される測定されるか計算された値に内在された変化を説明するものと意図される。
【００７０】
本明細書に使用された“使用する。”、“使用する”および“使用された”の用語はそれぞれ“用いる”、“用いる”および“用いられた”の用語と同意語として見なされ得る。
【００７１】
本発明の実施形態による欠陥検出システムおよび／または他の関連装置または構成要素は、適したハードウェア、ファームウェア（例えば、特殊用途の集積回路）、ソフトウェア、またはソフトウェア、ファームウェアおよびハードウェアの適切な組み合わせを用いて実現され得る。例えば、独立的なマルチソースディスプレイ装置の多様な構成要素は一つの集積回路（ＩＣ）チップまたは分離されたＩＣチップ上に形成されてもよい。また、欠陥検出システムの多様な構成要素は可撓性印刷回路フィルム、テープキャリアパッケージ（ＴＣＰ）、印刷回路基板（ＰＣＢ）、または同一な基板上に実現され得る。また、欠陥検出システムの多様な構成要素は、一つ以上のプロセッサー上で実行され、一つ以上のコンピューティング装置で実行され、コンピュータプログラム命令を実行し、ここで説明された多様な機能を実行するための他のシステム構成要素と相互作用するプロセッサーまたはスレッド（ｔｈｒｅａｄ）であり得る。コンピュータプログラム命令は、例えばランダムアクセスメモリ（ＲＡＭ）のような標準メモリ装置を使用するコンピューティング装置で実現され得るメモリに保存されてもよい。コンピュータプログラム命令はまた、例えばＣＤ−ＲＯＭ、フラッシュドライブなどのような他の一時的でないコンピュータ読取可能媒体に保存されてもよい。また、当業者は多様なコンピューティング装置の機能が単一コンピューティング装置に結合されるか統合され、または特定コンピューティング装置の機能が本発明の例示的な実施形態の範囲から逸脱せず一つ以上の他のコンピューティング装置にかけて分散されていてもよい。
【００７２】
本明細書で記載した画像モーメント（ｉｍａｇｅ  ｍｏｍｅｎｔ）については、ｈｔｔｐｓ：／／ｅｎ．ｗｉｋｉｐｅｄｉａ．ｏｒｇ／ｗｉｋｉ／Ｉｍａｇｅ＿ｍｏｍｅｎｔの説明を参照することができ、その内容は次の通りである。
【００７３】
2018180545.tif 000003
2018180545.tif 000004
2018180545.tif 000005
2018180545.tif 000006
【００７４】
本発明は、その例示的な実施形態に対する特定符号で具体的に説明されたが、ここに記述された実施形態はそれが全部であるとか発明を開示された正確な形態に本発明の権利範囲が制限されるわけではない。本発明の属する技術および技術分野の当業者は、説明された構造および組み立て方法の変形および変更が次の請求範囲に記述されたものとその均等範囲による本発明の原理、思想および範囲から有意味に逸脱せず実施され得るのを理解できる。
【符号の説明】
【００７５】
１００      欠陥検出システム
１０２      ディスプレイパネル
１０４      カメラ
１０６      欠陥検出部
１０８      プロセッサー
１１０      メモリ
１１２      操作者
２００      画像分解部
２０２      特徴抽出部
２０４      サポートベクトルマシン
３００、３０２、３０３、３０４、３０５、３０６、３０７、３０８、３０９      パッチ
３０１      画像
３１０      欠陥
【図１】
2018180545.tif 000007
【図２】
2018180545.tif 000008
【図３ａ】
2018180545.tif 000009
【図３ｂ】
2018180545.tif 000010
【図４ａ】
2018180545.tif 000011
【図４ｂ】
2018180545.tif 000012